(57)【要約】　　　（修正有）【課題】取り付けるべきパネルを足場にしてパネルを取り付ける高架構造物の桁裏面へのパネルにおいて、作業性および安全性を向上させた高架構造物の桁裏面へのパネルの取付方法を提供する。【解決手段】パネル３にパネル支持材６を取り付け、パネル支持材６１、６２，６３によりパネル３を吊り下げて固定することで、吊材や吊り部材を必要とすることなく、また吊材や吊り部材を取り付け、また取り外す工程を省略することができ、パネルの取付方法は作業性の高いものとなり得る。またパネル支持材６１，６２，６３は、パネル３の固定後も桁２裏面のパネル３を構成するものであり強度及び剛性の高いものであることから、仮固定時においてパネル３の動揺を低減でき、安全性が高められる。【選択図】　　　　図１
2004052382.tif 000002
【特許請求の範囲】
【請求項１】
パネルにパネル支持材を取り付けると共に、該パネル支持材を介してパネルを桁材に吊り下げ、次いで前記パネル支持材を桁材に固定することを特徴とする高架構造物の桁裏面へのパネルの取付方法。
【請求項２】
パネル支持材を、予め桁材に設けられた取付部を介して桁材に固定することを特徴とする請求項１に記載の高架構造物の桁裏面へのパネルの取付方法。
【請求項３】
パネル支持材に引っかけ部を設け、該引っかけ部を桁材に引っかけることにより、パネルが桁材に吊り下げられることを特徴とする請求項１又は２に記載の高架構造物の桁裏面へのパネルの取付方法。
【請求項４】
パネル支持材は、パネルとの接合部付近に設けられた回転手段により可倒式となされていることを特徴とする請求項１〜３のいずれか１項に記載の高架構造物の桁裏面へのパネルの取付方法。
【請求項５】
パネルは、吸音性を有する吸音パネルであることを特徴とする請求項１〜４のいずれかに記載の高架構造物の桁裏面へのパネルの取付方法。
【請求項６】
パネルは、桁裏面を隠蔽する化粧パネルであることを特徴とする請求項１〜４のいずれかに記載の高架構造物の桁裏面へのパネルの取付方法。
【発明の詳細な説明】
【０００１】
【発明の属する技術分野】
本発明は、主として橋梁や高架道路等の高架構造物の桁裏面へのパネルの取付方法に関するものである。
【０００２】
【従来の技術】
例えば高架道路等の高架構造物の桁裏面には、その下を通行する車両の騒音が桁裏面で反射して周囲に騒音が漏れるのを防止するために吸音性を有する吸音パネルが、または桁裏面の美粧化を図るために化粧パネルが取付けられている。かかる桁裏面へのパネルの取付けは、高所作業で危険であることと、また足場を設けるに当たり、その組立及び分解に手間がかかることから、その対策としてのパネルの取付方法に関する種々の発明が開示されている。
【０００３】
例えば特開平９−１８４２８５号公報には、予め外装部材を固定して組み立てた外装ユニットを高架構造物に吊材を用いて仮固定した後本固定し、隣接する外装ユニットを相互に連結固定する方法が示されている。
【０００４】
また、本出願人による特開平１１−１８１７１８号公報には、桁材に吊り部材を取り付け、その吊り部材により取り付けるべきパネルを所定高さに吊り下げ、次いで吊り下げられたパネルを足場にして、このパネル自体を桁材に固定する方法が示されている。
【０００５】
更に、特開２０００−１４４６４１号公報には、まず梁材を吊り部材により桁材に仮吊りし、その梁材にパネルを取り付け、そのパネルを足場にして桁材と梁材を固定する方法が示されている。
【０００６】
【発明が解決しようとする課題】
しかしながら、これら従来の方法は吊材や吊り部材を用いて仮固定を行い、次いで桁材にパネルを固定するものであり、吊材や吊り部材の桁材への取り付け、吊材や吊り部材へのパネルの取り付け、パネルを桁材に固定する固定部材の、桁材への取り付け、その固定部材のパネルへの取り付け、及び吊材や吊り部材の取り外しといった工程を要するものであり、足場を組む場合と比較して簡便ではあるものの、依然として手間がかかるものであった。また、吊材や吊り部材といった桁裏面のパネルを構成する以外の余分な材料を必要とするものであった。
【０００７】
更に吊材や吊り部材は、ワイヤーやチェーンといった材料で形成すると、仮固定後の本固定の作業中に強風におそわれたりした場合に、パネル上で作業している作業者が危険に晒される恐れがある。吊材や吊り部材を鋼材等の剛性の高いもので形成すると、重量が大きくなって取り扱いが不便なものとなり、またコストも高いものとなる。
【０００８】
そこで本発明は、取り付けるべきパネルを足場にしてパネルを取り付ける高架構造物の桁裏面へのパネルにおいて、上記の如き問題を解決し、作業性および安全性を向上させた高架構造物の桁裏面へのパネルの取付方法を提供せんとするものである。
【０００９】
【課題を解決するための手段】
上記目的を達成するために、本発明は次のような構成としている。すなわちこの発明に係る高架構造物の桁裏面へのパネルの取付方法は、パネルにパネル支持材を取り付けると共に、該パネル支持材を介してパネルを桁材に吊り下げ、次いで前記パネル支持材を桁材に固定することを特徴とするものである。
【００１０】
パネルにパネル支持材を取り付け、パネル支持材によりパネルを吊り下げて固定することで、吊材や吊り部材を必要とすることなく、また吊材や吊り部材を取り付け、また取り外す工程を省略することができ、パネルの取付方法は作業性の高いものとなり得る。またパネル支持材は、パネルの固定後も桁裏面のパネルを構成するものであり強度及び剛性の高いものであることから、仮固定時においてパネルの動揺を低減でき、安全性が高められる。
【００１１】
また本発明に係わる高架構造物の桁裏面へのパネルの取付方法は、パネル支持材を、予め桁材に設けられた取付部を介して桁材に固定することを特徴とするものである。
【００１２】
また、前記パネル支持材に引っかけ部を設け、該引っかけ部を桁材に引っかけることにより、パネルが桁材に吊り下げられることを特徴とするものである。
【００１３】
更にまた前記パネル支持材は、パネルとの接合部付近に設けられた回転手段により可倒式となされていることを特徴とするものである。
【００１４】
また前記パネルは、吸音性を有する吸音パネルであることを特徴とするものである。
【００１５】
更にまた前記パネルは、桁裏面を隠蔽する化粧パネルであることを特徴とするものである。
【００１６】
【発明の実施の形態】
本発明に係わる実施の形態について、図面に基づき以下に具体的に説明する。
図８及び図９は、従来の高架構造物の桁裏面へのパネルの取付方法によって、桁裏面にパネルが取付けられた高架構造物の一例を示すもので、図８は断面図、図９は斜視図である。
【００１７】
図８において、橋梁や高架道路等の高架構造物１の桁裏面には、その長手方向に沿って複数桁材２が設けられている。この高架構造物１の桁裏面には、桁材２と交差する向きに複数の長方形状のパネル３が配列され、パネル３の長さは桁材２間に取付け易いように、好適には桁材２の間隔にほぼ等しい寸法（桁材２間の寸法は通常３〜３．５ｍ程度となされているために、パネル３の長さもその寸法に対応した３〜３．５ｍ程度となされる）となされ、また作業者が乗れる程度の広さを確保すると共に作業者が手で持ち上げられる程度に軽量化するために、幅寸法は好適には６００〜１０００ｍｍ程度の細幅となされる。そしてこのパネル３の上面の長手方向には、開口縁３１が内方に突出された取付溝３２が複数それぞれ並行に設けられている。
【００１８】
更にパネル３の長手方向と交差して、複数のパネル３を互いに連結固定する、例えばＨ型鋼からなる梁材４が複数個並列に配設され、梁材４は固定部材５により桁材２に固定される。この固定部材５は、桁材２より横方向に張り出して溶接固定された横部材５１と、この横部材５１とパネル支持材４とを取付ボルト５３により連結固定する縦部材５２とから構成されている。
【００１９】
従来の桁裏面へのパネル３の取付方法は、桁材２側に予め横部材５１を溶接等により固定しておき、吊材や吊り部材を用いてパネル３を桁材２に仮固定し、仮固定した状態でパネル３の上に作業者が乗って、梁材４をパネル３に取り付け、更に梁材４と横部材５１との間に縦部材５２を配し、それぞれを取付ボルト５３により固定することで本固定を行う。本固定後は吊材や吊り部材を取り外し、図８及び図９に示す如き状態となる。
【００２０】
かかる方法によりパネル３を取り付けるのでは、工程が煩雑なものとなることや、本固定の作業中にパネルが動揺し危険であることはもとより、本固定を行う前にパネル３を所定高さに調整する必要があり、吊材や吊り部材の途中に高さ調整手段を設けておいても、その調整に手間がかかるという問題もあった。
【００２１】
図１は、本発明に係わる実施の一形態を示す説明図である。パネル３を固定するパネル支持材６はパネル３の左右両側部に設けられ、パネル３の長手方向に摺動可能に取り付けられた接続材６１と縦部材６２及び横部材６３から形成され、それぞれがボルト６４により固定されている。かかる構造によりパネル支持材６はパネル３の長手方向に摺動可能とされ、仮固定や本固定における位置決めが容易なものとなる。
【００２２】
本実施形態における桁裏面へのパネル３の取付方法は、まずパネル３を所定の高さまで持ち上げる。パネル３を持ち上げる際には、横部材６３は桁材２に接触しない位置に留めておき、また横部材６３の下面が桁材２の下フランジ部２１の上面より高い位置となるようにする。所定の高さまで持ち上げた状態で、横部材６３が桁材２の下フランジ部２１の上方に来るよう、パネル支持材６を桁材方向に摺動させ、その状態でパネル３をゆっくりと降ろし、横部材６３の下面を桁材２の下フランジ部２１の上面に当接させて仮固定とする。仮固定の状態で、横枠材６３を桁材に本固定する。本固定は横枠材６３及び下フランジ部２１に貫通孔を穿設して取付ボルトにより行ってもよく、溶接してもよく、また横枠材６３とウエーブ部２２を、取付ボルトで固定したり溶接したりしてもよい。
【００２３】
かかる方法でパネル３の取り付けを行うことで、吊材や吊り部材を用いることなく、パネル支持材６を取り付けたパネル３のみを施工現場に持ち込むことで、パネル３を桁材２に取り付けることができる。またパネル支持材６の横部材６３の下面を、桁材２の下フランジ部２１の上面に当接させるのみで仮固定できることから、仮固定に係わる手間は極めて小さいものとなる。更にパネル支持材６により仮固定を行い、その状態で本固定の作業を行うことができるため、仮固定時のパネル３の動揺は吊材や吊り部材にワイヤーやチェーンを用いた場合よりはるかに小さいものとなり、作業の安全性は向上される。
【００２４】
接続材６１及び縦部材６２は、図２に示す如く回転手段により縦部材６２が可倒式となされていてもよい。パネル３の仮固定及び本固定時には、ａ）に示す如く接続材６１及び縦部材６２は複数の取付ボルト６４Ａ、６４Ｂにより固定されるが、運搬時等、パネル支持材６が上方に突出していると邪魔である場合には、取付ボルト６４Ｂを外し、取付ボルト６４Ａをやや緩めた状態として、取付ボルト６４Ａを中心に縦部材６２を矢印方向またはその逆に回転させて、ｂ）に示す如く、縦部材６２を寝かせることで邪魔になることがなく、効率的な運搬や保管スペースの節減に繋がる。また、パネル３にはその上面の左右両側部に、長手方向に亘って形成された蟻溝状の取付溝３２内に、予め所定数の取付ボルト３３，３４の頭部をそれぞれ端部から挿入し、挿入した取付ボルト３３、３４に接続材６１を取り付けることでパネル支持材６は摺動可能なものとなされる。
【００２５】
図３〜図７は、本発明に係わる他の実施形態を示すもので、図３及び図４は桁材を示す斜視図、図５はパネル支持材の横部材の詳細を示す斜視図、図６及び図７は取り付けの過程を示す側面図である。まず図３に示す如く、予め桁材２の上フランジ部２３より垂下されたウエーブ材２２に溶接等により梁支持材７１を取り付け、更に梁支持材７１の上面に溶接、取付ボルト等で梁材７２を取り付けて取付部７を形成する。取付部７は桁材２の下フランジ部２１の下面より上方に設けられることが好ましく、桁材２が取り付けられた高架構造物１が運搬される際に、邪魔になったり荷重がかかって変形する等の不具合を防止できる。また取付部７は高架構造物１の作製時に同時に取り付けを行っておけば、高架構造物１を設置に係わる時間を延長させることがなくなる。
【００２６】
また梁材７２は、図４に示す如く梁支持材７１の下面に設けてもよい。桁材２の下フランジ部２１と上フランジ部２３との間には、横桁や斜張桁等が設けられる場合があり、かような箇所はスペースが極めて限定されるが、かかる構造とすることで梁材７２上の、梁支持材７１が存在する上下のスペースをパネル支持材６の取り付けに関わる空間とでき、限定されたスペースを最大限に活用することができる。尚、かかる構造においても、取付部７は桁材２の下フランジ部２１の下面より上方に設けられることが好ましい。
【００２７】
図５は、本実施形態におけるパネル支持材６の上端付近を示すもので、縦部材６２にはＬ字アングルである横部材６３がその上先端付近に取り付けられ、更に横部材６３の先端には平板の部材６３１が溶接等により取り付けられることで、パネル支持材６の先端は縦部材６２、横部材６３及び部材６３１により鈎状の引っかけ部８となされている。また横部材６３には取付ボルトが挿通可能な貫通孔６３２が穿設されている。
【００２８】
次いで、図６に示す如く、取付部７を介してパネル支持材６によりパネル３を桁材２に仮固定する。まず図２に示した如き蟻溝状の取付溝３２を設ける等により摺動可能となされたパネル支持材６を仮固定に適する位置に移動させる。次にパネル３を所定位置の高さに持ち上げた状態で、パネル支持材６の引っかけ部８を取付部７の上方に移動させる。このとき、図２に示した如き、取付ボルト６４Ａを中心に縦部材６２が回転されることで、引っかけ部８は取付部７の上方に速やかに移動できる。
【００２９】
最後に、図７に示す如く、取付部７の梁材７２に、パネル支持材６先端の引っかけ部８が引掛けられた状態でパネル３をゆっくりと降ろし、梁材４１の上面と横部材６３の下面とを当接させて仮固定がなされ、その状態で梁材４１と横部材６３は取付ボルト６５により締結され、本固定がなされる。尚、取付ボルト６４Ｂは、本固定時に取り付けてもよいが、仮固定を行う前に取り付けておき、仮固定から本固定に至るまでの工程においてのパネル支持材６が安定するようにするのが好ましい。
【００３０】
図３〜図７に示す実施形態においては、図１及び図２に示した実施形態により得られる効果に加え、取付部７の梁材７２が設けられていることでパネル支持材６はパネル３の長手方向には取付溝３２により摺動し、また長手方向と平面垂直な方向には梁材７２により自在に取付可能であることから、パネル支持材６の位置合わせは自在に可能なものとなり、取り付けは容易となり得る。また梁支持材７１は、桁材２のウエーブ部２２に設けられていることで、桁材２の強度低下を起こすことがない。更に、パネル支持材６は横部材６３の先端に設けられた部材６３１により鈎状の引っかけ部８となされ、その引っかけ部８が梁材７２に引掛かることで、仮固定及び本固定時の作業中にパネル３が動揺したとしても、横部材６３が滑って梁材７２から外れる恐れを無くすることができ、作業の安全性は高められる。
【００３１】
またパネル３は、高架構造物の下を通行する車両の騒音が桁裏面で反射して周囲に騒音が漏れるのを防止するための吸音性を有する吸音パネルであってもよいし、桁裏面を隠蔽して美粧化を図るための化粧パネルであってもよく、特に取付けるべきパネルの目的等は限定されるものではない。
【００３２】
前記防音パネルとしては、例えば金属繊維等の集合体やセラミック等の粉末焼結体等の吸音材から形成されたものであってもよいし、又は多数の開孔を有する前面板と背面板とによって形成される中空パネル体内に吸音材が内装されたものであってもよいし、吸音性を有する筒体や半筒体が配列されたものであってもよく、特に限定されるものではない。
【００３３】
また化粧パネルとしては、例えばアルミニウム合金板や亜鉛鋼板等の表面にポリエステル系粉体塗装やアクリル樹脂塗装、フッ素樹脂塗装、無機質系塗装等が施された塗装金属板が用いられるが、特に限定されるものではない。
【００３４】
【発明の効果】
本発明によれば、パネルにパネル支持材を取り付け、パネル支持材によりパネルを吊り下げて固定することで、吊材や吊り部材を必要とすることなく、また吊材や吊り部材を取り付け、また取り外す工程を省略することができ、パネルの取付方法は作業性の高いものとなり得る。またパネル支持材は、パネルの固定後も桁裏面のパネルを構成するものであり強度及び剛性の高いものであることから、仮固定時においてパネルの動揺を低減でき、安全性が高められる。
【図面の簡単な説明】
【図１】本発明に係わる実施の一形態を示す説明図である。
【図２】図１に示した、本発明に係わるパネル支持材の詳細を示す説明図である。
【図３】本発明に係わる他の実施形態の、取付部の一例を示す説明図である。
【図４】本発明に係わる他の実施形態の、取付部の他の例を示す説明図である。
【図５】本発明に係わる他の実施形態の、パネル支持材の一例を示す説明図である。
【図６】本発明に係わる他の実施形態の、取り付けの過程を示す説明図である。
【図７】本発明に係わる他の実施形態の、取り付けの過程を示す説明図である。
【図８】従来の、桁裏面にパネルが取付けられた高架構造物の一例を示す断面図である。
【図９】従来の、桁裏面にパネルが取付けられた高架構造物の一例を示す斜視図である。
【符号の説明】
１　　高架構造物
２　　桁材
３　　パネル
３２　取付溝
３３　取付ボルト
３４　取付ボルト
４　　梁材
５　　固定部材
６　　パネル支持材
６１　接続材
６２　縦部材
６３　横部材
６３１　部材
６４　取付ボルト
６５　取付ボルト
７　　取付部
７１　梁支持材
７２　梁材
８　　引っかけ部
【図１】
2004052382.tif 000003
【図２】
2004052382.tif 000004
【図３】
2004052382.tif 000005
【図４】
2004052382.tif 000006
【図５】
2004052382.tif 000007
【図６】
2004052382.tif 000008
【図７】
2004052382.tif 000009
【図８】
2004052382.tif 000010
【図９】
2004052382.tif 000011